(57)【要約】【課題】洗濯、乾燥が1台で可能なドラム型洗濯機を模しており、なおかつ注水や洗濯、乾燥、全自動等の使用感をリアルに現出できるような洗濯機玩具を提供することを課題とする。【解決手段】本発明の洗濯機玩具は、扉の窓部に封入した液体をドラムと共に高速回転させ、また、各種ボタンを押した時には注水音、送風音、ドラムの高速回転音などの効果音をスピーカから発する機能を備えている。また、水を密閉部に封入しているので、子供が遊んでも周囲に水を飛散させる心配のない洗濯機玩具である。【選択図】図１
2006000124.tif 000002
【特許請求の範囲】
【請求項１】
本体又は本体の前面に開閉扉を備えたドラム型一槽式洗濯機を模した形状であり、モータにより本体内部のドラムと、扉に内挿された透明な窓部を回転させる構造とし、該窓部は液体を封入した密閉部を有し、複数の操作ボタンによりモータを回転させることを特徴とする洗濯機玩具。
【請求項２】
前記モータの駆動力を滑車とベルトにより前記ドラムに伝達することを特徴とする請求項１記載の洗濯機玩具。
【請求項３】
前記操作ボタンを押すことにより、種々の音を発生させることができることを特徴とする請求項１又は２のうちいずれか一項に記載の洗濯機玩具。
【請求項４】
扉を閉止することにより、回路が通電されるようなリーフスイッチを設けたことを特徴とする請求項１乃至３のうちいずれか一項に記載の洗濯機玩具。
【発明の詳細な説明】
【技術分野】
【０００１】
本発明は、実際の洗濯機をリアルに再現した洗濯機玩具であり、特にドラム型形状の洗濯機玩具に関する。
【背景技術】
【０００２】
従来より、女児がままごとに使う目的で、家電製品を簡易な構造で再現した玩具が提供されている。
【０００３】
洗濯機玩具の例としては、従来の洗濯機と乾燥機を模した洗濯機玩具が公開されている。（例えば、特許文献１参照。）。本玩具は、洗濯室のバスケットと乾燥室内のドラムを、ギアを介して１つのモータで回転させる簡易構造の洗濯機玩具である。
【特許文献１】公開実用新案公報平５−３９５９８
【発明の開示】
【発明が解決しようとする課題】
【０００４】
しかし、昨今洗濯と乾燥が共に可能なドラム型洗濯機が発売され、一般家庭にもかなりの量が流通している状態であり、従来の洗濯機と乾燥機のセパレート形式の形態を知らない子供も増えてきている。そこで、市場のニーズの変化に伴い、新型のドラム型洗濯機を模した洗濯機玩具の登場が望まれていた。また、前記の洗濯機玩具では防水性の問題から洗濯槽に水を入れることができず、リアルな使用感を再現するのは困難であった。
【０００５】
そこで本発明では、従来技術の問題点に鑑みなされたもので、洗濯、乾燥が1台で可能なドラム型洗濯機を模しており、なおかつ注水や洗濯、乾燥、全自動等の使用感をリアルに現出できるような洗濯機玩具を提供することを課題とする。
【課題を解決するための手段】
【０００６】
請求項１記載の発明は、本体又は本体の前面に開閉扉を備えたドラム型一槽式洗濯機を模した形状であり、モータにより本体内部のドラムと、扉に内挿された透明な窓部を回転させる構造とし、該窓部は液体を封入した密閉部を有し、複数の操作ボタンによりモータを回転させることを特徴とする洗濯機玩具である。
【０００７】
本発明によれば、実際の洗濯及び乾燥を1台で可能なドラム型洗濯機を外見のみならず、その実際のリアルな使用感を備えた洗濯機玩具を提供することができる。
【０００８】
前記モータの駆動力を滑車とベルトにより前記ドラムに伝達することを特徴とする請求項１記載の洗濯機玩具である。
【０００９】
本発明によれば、滑車とベルトによるモータからの動力の伝達機構により、より滑らかなドラムの回転を実現することが出来る。
【００１０】
請求項３記載の発明は、前記ボタンを押すことにより、種々の音を発生させることができることを特徴とする請求項１又は２のうちいずれか一項に記載の洗濯機玩具である。
【００１１】
本発明によれば、例えば注水音、乾燥時の送風音、ドラムの高速回転音などをスピーカから発することにより、特別な機構を設けずともリアルな使用感を備えた洗濯機玩具を提供することができる。
【００１２】
請求項４記載の発明は、扉を閉止することにより、回路が通電されるようなリーフスイッチを設けたことを特徴とする請求項１乃至３のうちいずれか一項に記載の洗濯機玩具である。
【００１３】
本発明によれば、万一子供がドラムの回転中に扉を開けてしまっても直ちに回転が停止するので、本洗濯機玩具の安全性をより高めることが出来る。
【発明の効果】
【００１４】
本発明は以上説明したような形態で実施され、次のような効果を有する。
【００１５】
本発明によれば、実際のドラム型洗濯機玩具の外観のみならず、窓部内に液体が封入され、洗濯、乾燥、全自動などの機能についても、実際のリアルな使用感を具現化した洗濯機玩具であって、水を密閉部に封入しているので、子供が遊んでも周囲に水を飛散させる心配のない洗濯機玩具を提供することができる。
【発明を実施するための最良の形態】
【００１６】
本発明の洗濯機玩具は、扉の窓部に封入した液体をドラムと共に回転させ、また、各種ボタンを押した時には注水音、送風音、ドラムの高速回転音などの効果音をスピーカから発する機能を備えている。
【実施例】
【００１７】
以下、図面に基づいて本発明の実施例を詳細に説明する。
図１は本発明の実施例である洗濯機玩具の外観図を示している。外観は実物の市販のドラム型洗濯機を模しており、本体１の前面には、開け閉め自在の扉部４と上部に本洗濯機玩具を制御する為の操作ボタン８ａ〜８ｅを配置している。各ボタンの機能については後述する。扉部４には、水６を封入して密閉状態とした透明な窓部５が回転自在に内挿されている。窓部内部には、液体である水を封入した空間部を設けて、円形で厚みの薄い空間とされた密閉部の周辺内部に、前記水６を攪拌する為の攪拌板５ｃが設置されている。本体１は前部ケース２と後部ケース３から構成され、前部ケース２の正面の左下部にはスピーカを配置し、音を拡散する目的でメッシュ部１３を設けている。更に洗濯機玩具の右上部には洗剤投入口を模した引き出し可能なボックス７が設けられている。
【００１８】
図２は本洗濯機玩具の分解斜視図を示している。後部ケース背面には電池１６を収納するための電池ボックス１５が設けられている。電源に関しては家庭用の交流電源に対応したアダプタを使用することも出来る。本体内部には、洗濯室と乾燥室を兼ねるドラム１０と、モータ１２と滑車１３を備えたドラムケース１１が内蔵されている。モータ１２の駆動力は、滑車１３とモータ１２に掛かるベルト１３ａを介してまず滑車１３に伝達させる。一方で、滑車１４がそのシャフト部分をドラムケース１１の中央を貫通させ、ドラム１０の中心に挿通されている。滑車１３と滑車１４にはベルト１４ａが掛けられており、モータ１２の駆動力は滑車１４を回転させる。従って、モータ１２の駆動力はドラム１０を回転させることができる。本実施例ではモータの駆動力の伝達には前記滑車とベルトを用いているが、その他として歯車構造や直接モータとドラムを接続する手段も用いることが出来る。
【００１９】
図３は本洗濯機玩具の扉部４と前部ケース２、及び窓部５とドラム１０との係合手段を表す断面図である。図３の（ａ）、（ｂ）、（ｃ）の順に扉部４が開放される。先ず扉部４と前部ケース２との係合手段について説明する。前部ケース２の前面には、扉部４が係止される位置にスライド式のフック２ｃが設けられている。前記フック２ｃはスプリング２ａに係合されており、該スプリング２ａは前部ケース２のスプリング係止部２ｂに係止されている。一方で扉部４には、閉止した時に前記フック２ｃと係止される位置に、取手部４ｃと連動するフックが設けられている。扉部４を閉止した時には該フックとスライド式のフック２ｃが係合し、扉が固定される仕組みである。また扉部４のその反対の位置には可動式のＵ字部品４ｄが設けられ、該Ｕ字部品は前部ケース２と係合し、扉部４を開け閉め自在な状態にしている。続いて窓部５とドラム１０の係合手段について説明する。窓部５は扉部４の前部ハウジング４ａと後部ハウジング４ｂに回転自在な状態で挟持されている。窓部５にはその円周部の複数箇所に突起部５ａが設けられている。一方でドラム１０の前周部には連続した穴部１０ａが設けられている。扉部４が閉止されると、前記突起部５ａが穴部１０ａに挿通される。以上の構造により、ドラム１０が回転すると窓部５も同時に回転する。
【００２０】
図４は本洗濯機玩具の基板１８の構成と配線の接続先を示している。基板上には前記本体上の操作ボタン８ａ〜８ｂに対応したそれぞれの押圧スイッチ１８ａ〜１８ｅが設置されている。前記ボタンを押すとそれぞれの押圧スイッチがオンになる仕組みである。また、扉部４の開閉によりオン／オフとなるリーフスイッチ１７が基板から配線され、先端が前部ケース２の前面に設けられた穴部１７ａに挿通される。また、基板上から配線されたスピーカ９ａは前記メッシュ部９の内側に配置される。
【００２１】
図５は本洗濯機玩具の扉を開放した状態を示した図である。前記リーフスイッチ１７のオン／オフ機構について説明する。先に述べた穴部１７ａと係合するように、窓部５の円周上に突起部５ｂが設けられている。扉部４が閉止されると該突起部５ｂが前前記穴部１７ａに挿通される。従って、扉が閉止されるとリーフスイッチ１７がオンとなり本玩具が通電され、扉が開放されると、リーフスイッチ１７がオフとなる。即ち、本リーフスイッチが安全スイッチの役割を果たし、万一子供が扉を開いた場合には、直ちにドラムの回転が止まるようになっている。
【００２２】
図６は実際にドラム１０と窓部５が回転している状態を示す斜視図である。遠心力により窓部５に設けた空間部に封入した水６が周辺部に押し付けられ高速回転するので、外見上は水を確認するのが難しい。従って、窓の外から見るとあたかも脱水しているような感覚を与えることができる。
【００２３】
次に実際に遊ぶ場合の本洗濯機玩具の動作について説明する。まず、扉部４を閉じるとリーフスイッチ１７がオンとなり、電池１６からの電力の供給が可能になる。また、扉を閉めた場合には、起動音がスピーカ９ａより発せられる。続いてメインボタンを８ａ押すと、同ボタンが基板上のメイン押圧スイッチ１８ａが押し電力が供給される。
【００２４】
注水ボタン８ｂを押すと、同ボタンが基板上の洗濯押圧スイッチ１８ｂを押して、スピーカより注水音が出力される。洗濯ボタン８ｃを押すと、同ボタンが基板上の洗濯押圧スイッチ１８ｃを押して、モータ１２を回転させると同時に、洗濯時の音をスピーカ９ａより発する。洗濯時の音とは、水と洗濯物が攪拌されている音である。モータ１２の駆動力は第１滑車１３第１ベルト１３ａ、第２滑車１４と第２ベルト１４ａを介してドラム１０に伝達され、ドラムが回転する。また、その際に扉部４の窓部５もドラム１０と連動して回転する。更に、モータ１２は一定時間運転、短時間停止を交互に繰り返すサイクル、即ち間欠運転を繰り返す。こうすることで窓部内の水６が攪拌板５ｃにより攪拌されて回転し、あたかも実際に注水して洗濯しているという感覚を与えることが出来る。
【００２５】
乾燥ボタン８ｄを押すと、同ボタンが基板上の乾燥押圧スイッチ１８ｄを押して、前述の洗濯ボタンと同様にドラムを回転させる。また、スピーカより送風音とドラムの高速回転音が発せられる。以上より、あたかも実際に乾燥を行っているような感覚を与えることが出来る。
【００２６】
本発明の洗濯機玩具では安全性の観点からほぼ全ての部材を樹脂製としているものの、ドラムは金属光沢の塗装を施しその内側には溝は窪みを設けるなどして、実際のドラム型洗濯機に近似させている。
【００２７】
本洗濯機玩具の実施例では、効果音やモータの間欠動作にて本物のドラム型洗濯機のリアルさを現出しているが、操作ボタン毎にモータの回転速度を変更したり、ファンを備えて実際に送風を行ったりすることも容易に実施可能である。また、開閉扉や窓部は本体前面側なものではあるも、上面から前面への前方傾斜面に設けることも可能である。
【産業上の利用可能性】
【００２８】
本発明の洗濯機玩具は構造が簡易ながら、効果音や窓部に封入された水を回転させることにより、あたかも実際に洗濯しているような感覚を与えることができる画期的なドラム型の洗濯機玩具である。
【図面の簡単な説明】
【００２９】
【図１】本発明の洗濯機玩具の実施例について、その外観図を示す。
【図２】本発明の洗濯機玩具の実施例について、分解組立図を示す。
【図３】本発明の洗濯機玩具の実施例について、扉とその窓部の構成を示す。
【図４】本発明の洗濯機玩具の実施例について、基板の構成を示す。
【図５】本発明の洗濯機玩具の実施例について、扉を開放した状態を示す。
【図６】本発明の洗濯機玩具の実施例について、運転時の斜視図を示す。
【符号の説明】
【００３０】
１ 洗濯機玩具本体
２ 前部ケース
２ａ スプリング
２ｂ スプリング係止部
２ｃ フック
３ 後部ケース
４ 扉部
４ａ 前部ハウジング
４ｂ 後部ハウジング
４ｃ 開閉用取手
４ｄ Ｕ字部品
５ 窓部
５ａ 突起部
５ｂ 突起部
５ｃ 攪拌板
６ 水
７ 洗剤用引き出し
８ａ メインボタン
８ｂ 注水ボタン
８ｃ 洗濯ボタン
８ｄ 乾燥ボタン
８ｅ 全自動ボタン
９ メッシュ部
９ａ スピーカ
１０ ドラム
１０ａ 穴部
１１ ドラムケース
１２ モータ
１３ 第１滑車
１３ａ 第１ベルト
１４ 第２滑車
１４ａ 第２ベルト
１５ 電池ボックス
１６ 電池
１７ リーフスイッチ
１７ａ 穴部
１８ 基板
１８ａ メイン押圧スイッチ
１８ｂ 注水押圧スイッチ
１８ｃ 洗濯押圧スイッチ
１８ｄ 乾燥押圧スイッチ
１８ｅ 全自動押圧スイッチ
【図１】
2006000124.tif 000003
【図２】
2006000124.tif 000004
【図３】
2006000124.tif 000005
【図４】
2006000124.tif 000006
【図５】
2006000124.tif 000007
【図６】
2006000124.tif 000008